(57)【要約】【構成】半田処理締め具装置によってガラスプレートを携帯電話などの電子素子のハウジングに実装した窓ガラスなどの支持構造体に実装する。半田によって窓の後面に固着した締め具装置がハウジング締め具にネジ係合して、窓をハウジングに強く固着する。半田処理としては音波半田が好ましく、締め具装置は雌ネジを刻設した軸方向ボアを備え、ねじ等の締め具を受け取るように窓の表面に対して垂直か平行になっている。【選択図】図２
2014509146.tif 000002
【特許請求の範囲】
【請求項１】
電子装置の窓ガラス及びハウジングからなる組立構造体において、
締め具装置を受け取る開口を備えたハウジング部材、
透明なガラス窓、および
前記締め具装置に係合した状態で、基部が半田処理によって前記ガラス窓の後面に固着され、前記ガラス窓を前記ハウジング部材に固着した締め具装置からなることを特徴とする組立構造体。
【請求項２】
前記半田処理が音波半田処理である請求項１に記載の組立構造体。
【請求項３】
前記締め具装置が、前記ガラス窓の表面に対して垂直な雌ネジ刻設ボアを有する請求項１に記載の組立構造体。
【請求項４】
前記締め具装置が、前記ガラス窓の表面に平行な雌ネジ刻設ボアを有する請求項１に記載の組立構造体。
【請求項５】
前記締め具装置がねじである請求項１に記載の組立構造体。
【請求項６】
前記ハウジングが、電子素子のシャシである請求項１に記載の組立構造体。
【請求項７】
前記電子素子が携帯電話である請求項６に記載の組立構造体。
【請求項８】
前記ハウジング部材が平面からなり、かつ前記ガラス窓に平行である請求項３に記載の組立構造体。
【発明の詳細な説明】
【技術分野】
【０００１】
本発明は、ガラスに半田処理によって実装して、他の装置などをガラス板に取り付ける締め具装置の適用に関する。具体的には、本発明は携帯電話などの電子機器のシャシに窓ガラスを取り付ける手段として使用される、ガラスプレートに半田処理によって表面実装する締め具装置に関する。
【背景技術】
【０００２】
ガラスへの半田処理は広く行われていないが、公知である。一般に行われているのは、車のバックウィンドに半田処理によってアンテナを装着することである。ところが、ガラスそれ自体は、例えば金属フレームの所定位置に接着したガスケットによって車に固着する。
【０００３】
多くの携帯電話の場合、全面にガラス製のフロントパネルを使用することがますます多くなっている。このため現状では、製造者は、接着するか、あるいは創造性を発揮してガスケットなどを使用してガラスを固定する以外にオプションが残されていない。これらのオプションの場合、製品デザイナーからみて最適な外観を設計できる余地が少ない。ガラスが脆いため、ガラスプレートを構造的に実装することは難しい作業である。利用できる締め付け方法では接着剤の使用が抜きんでているが、接着剤にはいくつかの深刻な欠点がある。一般に接着剤はリサイクルできず、リサイクル時に毒性を発揮することが多く、これは接着剤の存在自体によって所定量の素材のリサイクルが実施できないことを意味する。また、接着剤は製造自体にいくつかの問題があり、製造環境からみて好ましくないことが多々ある。強化ガラスは穿孔が容易ではなく、あるいはボルト孔を穿孔できるようにすることも容易ではない。通常は、クリップ/フックを利用してガラスに実装しているが、いずれも精密さや正確さに欠けることが多い方法であり、最終位置にずれが発生する。
【発明の概要】
【０００４】
従来技術の前記課題に対処するため、本発明では、半田処理した機械式締め具装置を使用して、ガラスをフレームまたはシャシに強固に実装する。半田処理は多数の方法で実施できるが、最も経済的な半田処理は、半田付け可能な局所的被膜をガラスに形成してから、表面実装技術（surface mount technology）を使用して締め具装置をガラスに半田処理する方法である。本発明の締め具装置は、非侵入性でガラスに切り込むことがないため、ガラスの焼き戻し処理および構造が変化することはない。また、半田処理温度は十分低く、多くのガラスの原子構造に干渉することはない。
【０００５】
ガラスに半田付けした締め具装置は、各種の形状を取ることが可能である。最も代表的な例を挙げると、シャシに係合できるネジ式ナットまたはスタッドである。このネジ式締め具装置の場合、ネジはガラスの表面の法線方向に、あるいはガラス表面に対して平行にアライメントできるように固着できる。ネジ式締め具装置が最も汎用性が高いが、ボタン、ピンやスナップだけでなく、他の一般的な単純な構成の締め具装置も使用可能である。これら締め具装置の一つをガラスに半田付けするためには、ガラスをコーティングして半田処理可能面を形成する必要がある。すなわち、スズ、銀、銅、金やその他の半田処理可能な金属をコーティングすることができる。この仕上げ処理（半田処理）をガラスに行うことは従来通り行えばよく、ガラス工業における多くのコーター（coaters）を利用できる。
【０００６】
締め具装置をガラスに半田処理し、ガラス構造に素子を装着することは、本発明に独自の特徴である。これは周辺素子、例えば携帯電話の表示窓などを最小限に抑えた状態でガラスを使用しなければならない業界において特に有用である。より具体的には、本発明は窓ガラスと電子装置のハウジングとを組み合わせたもので、当該ハウジングが雄ネジ締め具装置を受け取る開口を形成した部材を有するものに関する。この締め具装置は、透明ガラス窓の後面に固定された基部を有する、雌ネジを刻設した雌形締め具装置によって固定するとともに、締め具装置にネジ係合してこの窓をハウジングに固着する。半田処理は音波半田によるのが好ましく、締め具装置には、窓の表面に垂直か平行のいずれかである雌ネジ刻設軸方向ボアを設けることができる。例えば、締め具装置はねじであればよく、ハウジング部材は場合に応じて窓に対して平面（planar）からなり、あるいは平行（parallel）であればよい。
【０００７】
なお、以下に本発明の少なくとも一つの実施態様を詳しく説明するが、本発明はその適用において本明細書に記載しかつ添付図面に図示した構成および構成部品の配設などの細部に制限されるものではない。本発明は他の実施態様も可能であり、各種の実施方法で実施可能である。また、本開示において使用する用語・術語などは例示のみを目的として、制限を意図するものではない。
【０００８】
また、当業者ならば、本発明のいくつかの目的を実現する他の構造、方法およびシステムを設計する際の基礎として本発明の技術思想を容易に利用できるはずである。
【図面の簡単な説明】
【０００９】
【図１】直角半田処理締め具装置を使用した組立構造体として本発明を示す上部右正面等角投影図（top right front isometric view）である。
【図２】図１に示す実施態様の上部右後等角投影図である。
【図３】図１に示す実施態様の上部右後等角投影図である。
【図４】３つの部分を示す上部右後展開図である。
【図５】半田処理したスペーサ/ナット締め具装置を使用した上部右後等角投影図である。
【図６】図５に示した実施態様の上部右正面等角投影図である。
【図７】図６に示した組立構造体の上部右後等角投影展開図である。
【発明を実施するための形態】
【００１０】
図１〜４に本発明の一実施態様の異なる図面を示すが、この場合直角締め具装置１１によりシャシ部材１３をガラスプレート１５に装着する。本実施態様に示すシャシ部材については、図示のみを目的として選択したＬ形フレーム体とする。なお、この締め具装置１１で対処できるならば任意の適当な形状を採用することができる。シャシ部材の開口１７は、締め具装置１１にアライメントし、ねじなどの対応する締め具を受け取る。図２に、締め具装置およびプレートから取り外した状態のシャシ部材を示すが、これらはねじ１６を開口１７から締め具装置１１に挿通することによって装着することができる。半田層１８によって締め具装置をガラスプレートに固着する。図３および図４は、図１の実施態様および図４に示す各部の組立構造を示す後面図である。図４に示すように、まず、締め具装置１１を設ける領域内において半田受け取り層１４をガラスプレート１５にコーティングする。次に、電子工業においてよく知られている表面実装半田処理などによって、締め具装置とコーティング１４との間に設けられた半田層１８によってガラスプレートに締め具装置を固着する。
【００１１】
図５〜７に、離隔式（ｓｔａｎｄｏｆｆ）締め具装置２１をガラスプレート２３に半田付けし、図７に示した、締め具装置２１の軸方向ボアにアライメントしている開口２７に挿通するねじ手段によってシャシ部材２５を相互接続する別な実施態様を示す。この実施態様の場合、例えば携帯電話などの携帯式電子装置の窓ガラスとすることができるガラスプレート２３に平行にシャシ部材２５を装着することを例示している。図７に示す実施態様の組立構造体は、図１〜４に示した実施態様と同じである。最初に、領域２４においてガラスプレート２３に半田受け取りコーティングを設ける。次に、締め具装置２１をこの領域において半田２６の堆積処理によってプレート２３に半田付けする。次に、開口２７が締め具装置２１のねじを受け取るネジ刻設ボアにアライメントした状態で、シャシ部材２５を締め具装置に被せる。次にねじを、シャシ開口から締め具装置のボアにねじ込み締め付ける。
【００１２】
以上は、本発明原理の例示に過ぎない。当業者にとってはその他多くの変更応用は容易なはずであり、従って以前記載し、図示した正確な構成および動作に本発明は制限を受けず、また好適な変更や等価な構成はいずれも本発明の範囲に包含されるものである。
【符号の説明】
【００１３】
１１，２１：締め具装置
１３，２５：シャシ部材
１５，２３：ガラスプレート
１６：ねじ
１７，２７：開口
１８：半田層
２４：領域
２６：半田
【図１】
2014509146.tif 000003
【図２】
2014509146.tif 000004
【図３】
2014509146.tif 000005
【図４】
2014509146.tif 000006
【図５】
2014509146.tif 000007
【図６】
2014509146.tif 000008
【図７】
2014509146.tif 000009
【国際調査報告】
2014509146.tif 000010